(57)【要約】【課題】  排水を効率よく行え、かつ湯水が上面から排水口側に流れやすくなる浴室排水口用蓋を提供すること。【解決手段】  排水口部１５が設けられた浴室の洗い場フロア１２における排水口部１５の開口側部分に収容凹部１２ａを形成し、この収容凹部１２ａに、洗い場フロア１２の水を排水口部１５に排水可能にした状態で、蓋２０を着脱自在に取り付けた。そして、蓋２０の上面を、縁部２０ｂ，２０ｃ，２０ｃから縁部２０ａに向かって下り傾斜になる平面状傾斜面２５ａ，２５ｂ，２５ｃおよび曲面状傾斜面２６ａ，２６ｂに形成した。また、蓋２０を角部のない滑らかな曲面からなる略四角形の板状にするとともに、縁部２０ａに、蓋２０を収容凹部１２ａから取り外す際に使用する操作用凹部２２を設けた。そして、蓋２０の上面に溝２９を形成した。【選択図】  図３
2005139737.tif 000002
【特許請求の範囲】
【請求項１】
排水口が設けられた浴室の洗い場フロアにおける前記排水口の開口側部分に収容凹部を形成し、前記洗い場フロアの水を前記排水口に排水可能にした状態で、前記収容凹部に着脱自在に取り付けられる浴室排水口用蓋であって、前記浴室排水口用蓋の上面を、周縁部から所定の縁部に向かって下り傾斜になる凹状の傾斜面に形成したことを特徴とする浴室排水口用蓋。
【請求項２】
前記所定の縁部に、前記浴室排水口用蓋を前記収容凹部から取り外す際に使用する操作用凹部を設けた請求項１に記載の浴室排水口用蓋。
【請求項３】
前記浴室排水口用蓋を、角部が曲面になった略四角形の板状に形成するとともに、前記操作用凹部の表面を滑らかな曲面に形成した請求項２に記載の浴室排水口用蓋。
【請求項４】
前記操作用凹部を前記浴室排水口用蓋の一方の側面の中央部に形成し、前記浴室排水口用蓋の上面を、前記浴室排水口用蓋の他方の側面側から前記操作用凹部の略中央に向う略三角形の平面状傾斜面と、前記一方の側面の両側に隣接する側面側から前記操作用凹部の略中央に向う略三角形の２個の平面状傾斜面と、前記３個の平面状傾斜面のそれぞれ境界部に形成され、隣接する平面状傾斜面を滑らかに繋ぐ曲面状傾斜面とで構成した請求項３に記載の浴室排水口用蓋。
【請求項５】
前記浴室排水口用蓋の上面を凹凸面に形成した請求項１ないし４のうちのいずれか一つに記載の浴室排水口用蓋。
【発明の詳細な説明】
【技術分野】
【０００１】
本発明は、浴室の洗い場フロアに設けられた排水口に取り付けられる浴室排水口用蓋に関する。
【背景技術】
【０００２】
従来から、例えば、ユニット型の浴室の洗い場フロアには、排水口が設けられて、洗い場で使用する湯水や、浴槽から溢れ出る湯を排水管を介して外部に排出できるようになっている。そして、洗い場フロアにおける排水口の上方には、排水口用の蓋が、洗い場フロアの床面と略同じ高さになるように取り付けられている。これによって、排水口が隠れ、美観が向上するとともに、排水口が塞がれて安全性が向上する（例えば、特許文献１）。
【０００３】
この蓋は、四角形の板状に形成され、一方の側面に、蓋を取り外す際に手の指を入れるための切欠きが設けられている。そして、蓋の上面は、一方の側面側が高く、他方の側面側に行くほど低くなり、かつ、中央部から一方の側面に隣接する両側面側に行くほど低くなるように形成されている。したがって、洗い場フロアから蓋の上面に流れてくる湯水は、蓋の一方の側面側から他方の側面側に向って流れるとともに、中央部から両側の側面側に向って分散しながら排水口に向って流れて行く。
【特許文献１】特開２００１−２４８２００号公報
【発明の開示】
【０００４】
通常、浴室における洗い場フロアの床面は、周縁部から排水口に向って下り傾斜になるような傾斜面に形成されて、洗い場フロアの湯水が排水口に集まって排水されるようになっている。しかしながら、前述した従来の浴室排水口用蓋では、切欠きが設けられた高さの高い一方の側面が浴槽側に位置しているため、一方の側面側が堰のようになり、湯水の流れを止めるようになる。したがって、切欠きを設けてもこの部分からの排水は殆どなく排水の効率が悪くなるという問題がある。また、蓋が上側に凸状となるように形成されているため蓋の最頂部に湯水が残り易いという問題もある。
【０００５】
本発明は、上記問題に対処するためになされたもので、その目的は、排水を効率よく行え、かつ湯水が上面から排水口側に流れやすくなる浴室排水口用蓋を提供することである。
【０００６】
上記の目的を達成するため、本発明にかかる浴室排水口用蓋の構成上の特徴は、排水口が設けられた浴室の洗い場フロアにおける排水口の開口側部分に収容凹部を形成し、洗い場フロアの水を排水口に排水可能にした状態で、収容凹部に着脱自在に取り付けられる浴室排水口用蓋であって、浴室排水口用蓋の上面を、周縁部から所定の縁部に向かって下り傾斜になる凹状の傾斜面に形成したことにある。
【０００７】
前述したように構成した本発明の浴室排水口用蓋の上面は、周縁部の中の所定の縁部が低い位置に形成され、周縁部の他の部分が所定の縁部よりも高い位置に形成されている。そして、その上面は、周縁部の他の部分から所定の縁部に向って下り傾斜になる傾斜面に形成されている。このため、浴室排水口用蓋の上面に流れてきた湯水は、徐々に低い位置に集まっていき、所定の縁部から浴室排水口用蓋の下方の排水口に向けて流れて行く。したがって、湯水が浴室排水口用蓋の上面に残り難くなって、効率のよい排水が可能になる。
【０００８】
この場合、低い位置にある所定の縁部を、浴槽側に配置させておく。これによって、洗い場フロアの各部分から排水口に向って流れ、浴室排水口用蓋の上面に到達する湯水は、スムーズに所定の縁部から下方に排水される。また、収容凹部の周面と浴室排水口用蓋の側面との間からも排水は行われるため、より効率のよい排水が行われる。さらに、浴室排水口用蓋は、種々の形状に形成することができ、四角形、三角形、さらに多角の多角形、円形および楕円形等にすることができる。また、浴室排水口用蓋の周縁部における所定の縁部以外の部分の高さは一定に設定しておくことが好ましい。
【０００９】
また、本発明にかかる浴室排水口用蓋の他の構成上の特徴は、所定の縁部に、浴室排水口用蓋を収容凹部から取り外す際に使用する操作用凹部を設けたことにある。これによると、低い位置にある所定の縁部に、操作用凹部を設けたため、排水路が広がり所定の縁部側に流れてくる湯水がさらに排水口側に流れやすくなる。これによって、さらに効率のよい排水が可能になる。
【００１０】
本発明にかかる浴室排水口用蓋のさらに他の構成上の特徴は、浴室排水口用蓋を、角部が曲面になった略四角形の板状に形成するとともに、操作用凹部の表面を滑らかな曲面に形成したことにある。これによると、浴室排水口用蓋が、角部がなく全体が滑らかな曲面からなるデザイン性に優れたものになる。
【００１１】
本発明にかかる浴室排水口用蓋のさらに他の構成上の特徴は、操作用凹部を浴室排水口用蓋の一方の側面の中央部に形成し、浴室排水口用蓋の上面を、浴室排水口用蓋の他方の側面側から操作用凹部の略中央に向う略三角形の平面状傾斜面と、一方の側面の両側に隣接する側面側から操作用凹部の略中央に向う略三角形の２個の平面状傾斜面と、３個の平面状傾斜面のそれぞれ境界部に形成され、隣接する平面状傾斜面を滑らかに繋ぐ曲面状傾斜面とで構成したことにある。
【００１２】
これによっても、排水を効率よく行え、湯水が上面から排水口側に流れやすくなる浴室排水口用蓋を得ることができる。この場合、各平面状傾斜面の境界部を滑らかな曲面状傾斜面で構成したため、角部の線が見えなくなりデザイン性が向上する。また、浴室排水口用蓋の上面の湯水の流れもスムーズになる。
【００１３】
本発明にかかる浴室排水口用蓋のさらに他の構成上の特徴は、浴室排水口用蓋の上面を凹凸面に形成したことにある。この場合の凹凸面は、種々の形状にすることができる。例えば、湯水を流し易くするための細い溝を模様のようにして形成したり、小さい凸部と細くて深い溝を形成したりして排水効果を向上させることができる。
【発明を実施するための最良の形態】
【００１４】
以下、本発明の一実施形態を図面を用いて説明する。図１は、本発明に係る浴室排水口用の蓋２０を備えた浴室ユニットＹを示している。この浴室ユニットＹは、浴槽１０を備えており、浴槽１０は、浴槽フロア１１の上面に設置されている。そして、浴槽フロア１１の長手方向に沿った一方の縁部には、洗い場フロア１２が接続され、浴槽フロア１１と洗い場フロア１２との周囲および上方に、図示しない壁パネルや天井パネル等が設置されている。浴室ユニットＹを構成する浴槽１０、浴槽フロア１１および洗い場フロア１２等の各本体部分は、それぞれ樹脂の成形体で構成されている。
【００１５】
浴槽１０には、湯を溜めるための凹部１０ａが設けられ、その底部に凹部１０ａ内の湯や水を排出するための金属製の排水栓１３が設けられている。また、浴槽１０の縁部上面１０ｂにおける一方の角部に凹部１０ａ内に湯や水を入れるための水栓１４と、排水栓１３を開閉操作するための押しボタン式の操作スイッチ１３ａとが設けられている。
【００１６】
浴槽フロア１１と洗い場フロア１２との対向する縁部には、互いに係合できる係合部（図示せず）が設けられており、この係合部を係合させることによって、浴槽フロア１１と洗い場フロア１２は接続されている。そして、洗い場フロア１２における浴槽１０の縁部に沿った略中央部分に、収容凹部１２ａが設けられている。洗い場フロア１２の床面は、外周縁部からこの収容凹部１２ａにかけて緩やかな下りになった傾斜面に形成されている。また、図２に示すように、収容凹部１２ａの底部中央には穴部１２ｂが設けられ、この穴部１２ｂには排水口を構成する排水口部１５が取り付けられている。
【００１７】
排水口部１５は、略円筒状の部材で構成されており、その上端外周部に外側に向って延びるフランジ状突起１５ａが設けられ、下端内周部に内側に向って延びるフランジ状突起１５ｂが設けられている。そして、排水口部１５は、断面形状のそれぞれ両側に位置する部分の形状がＵ字状で全体形状がリング状に形成されたシール材１６を介して排水管１７の開口縁部に連結されている。すなわち、このシール材１６は、穴部１２ｂの周縁部１２ｃに沿って、その周縁部１２ｃの上下面および内周面を被覆するように取り付けられている。
【００１８】
そして、シール材１６の上面にフランジ状突起１５ａの下面が押し付けられ、シール材１６の下面に排水管１７の開口縁部に設けられたフランジ状突起１７ａが押し付けられている。また、排水口部１５の外周面と排水管１７の開口縁部の内周面には、互いに螺合可能なねじが設けられており、このねじの螺合により、排水口部１５と排水管１７とはシール材１６を介して周縁部１２ｃを挟んだ状態で洗い場フロア１２に固定されている。そして、排水口部１５のフランジ状突起１５ｂの中央穴部に、湯水を通過させるための挿通孔１８ａを有する金属製の目皿１８が着脱可能に取り付けられている。
【００１９】
また、収容凹部１２ａにおける底面と周面との角部に周面に沿って一定間隔で蓋２０を置くための支持台１２ｄが複数個設けられている。蓋２０は、収容凹部１２ａの周面との間に湯水を通過させるための隙間を設け、収容凹部１２ａに着脱可能な状態で、支持台１２ｄ上に取り付けられている。したがって、洗い場フロア１２の床面に流れた湯水は、収容凹部１２ａに向かって流れ、蓋２０と収容凹部１２ａの周面との隙間から収容凹部１２ａ内に入り、排水口部１５から排水管１７に排水される。
【００２０】
蓋２０は、図３ないし図５に示したように、下面中央が凹部２１に形成された平面視が略四角形の熱硬化樹脂（ＳＭＣ）からなる板状体で構成されている。そして、蓋２０の一方の縁部２０ａの中央側部分は、蓋２０の中央側に向って滑らかな曲面状に抉られた操作用凹部２２に形成され、縁部２０ａと、その両側の縁部２０ｂ，２０ｃとの角部はそれぞれ円弧状の曲面部２３ａ，２３ｂに形成されている。また、縁部２０ａに対向する他方の縁部２０ｄと、その両側の縁部２０ｂ，２０ｃとの角部はそれぞれ曲面部２３ａ，２３ｂよりも大きな円弧状の曲面部２４ａ，２４ｂに形成されている。
【００２１】
蓋２０の縁部２０ｂ，２０ｃ，２０ｄの上端は、それぞれ同じ高さに設定され、縁部２０ａの上端は、縁部２０ｂ等と略等しい高さに設定された曲面部２３ａ，２３ｂの上端から操作用凹部２２の中央部に向って徐々に低くなっている。また、蓋２０の上面には、縁部２０ｄの上端から操作用凹部２２の中央部に向って下り傾斜になった略三角形の平面状傾斜面２５ａと、縁部２０ｂ，２０ｃの上端からそれぞれ操作用凹部２２の中央部に向って下り傾斜になった略三角形の平面状傾斜面２５ｂ，２５ｃとの３個の平面部が形成されている。
【００２２】
そして、平面状傾斜面２５ａと平面状傾斜面２５ｂとの境界部は、平面状傾斜面２５ａと平面状傾斜面２５ｂとの間に角部をなくし滑らかに繋ぐための曲面状傾斜面２６ａが形成されている。また、平面状傾斜面２５ａと平面状傾斜面２５ｃとの境界部は、平面状傾斜面２５ａと平面状傾斜面２５ｃとの間に角部をなくし滑らかに繋ぐための曲面状傾斜面２６ｂが形成されている。曲面状傾斜面２６ａ，２６ｂは、平面状傾斜面２５ａ，２５ｂ，２５ｃの傾斜に沿って、それぞれ曲面部２４ａ，２４ｂ側が高く、操作用凹部２２側が低くなっている。したがって、操作用凹部２２の中央部は、蓋２０の上面の中で最も低い位置になるとともに、蓋２０の中央側に向って最も抉れた部分になる。
【００２３】
また、蓋２０の周面を構成する縁部２０ａ，２０ｂ，２０ｃ，２０ｄおよび曲面部２３ａ，２３ｂ，２４ａ，２４ｂは、それぞれ上部が蓋２０の中央側に傾斜して抜きこう配が設けられている。そして、曲面部２３ａ，２３ｂの中央下部側部分には、平面視が略半円状の突起２７ａ，２７ｂが設けられている。また、曲面部２４ａの両側下部側部分には、突起２７ａ，２７ｂよりも突出量の少ない突起２８ａ，２８ｂが設けられ、曲面部２４ｂの両側下部側部分には、突起２８ａ，２８ｂと同形の突起２８ｃ，２８ｄが設けられている。
【００２４】
また、蓋２０の上面には、それぞれ操作用凹部２２に向って延びる浅く細い溝２９が模様のように設けられている。なお、この蓋２０は、縦横の長さが略１９０ｍｍに設定され、高さが１７ｍｍに設定されている。そして、平面状傾斜面２５ａの図示の矢印ａ方向の勾配（長さに対する高低差）は１／６９に設定され、平面状傾斜面２５ａ，２５ｂの図示の矢印ｂ，ｃ方向の勾配はそれぞれ１／３５に設定されている。また、曲面状傾斜面２６ａ，２６ｂの曲率半径はそれぞれ２７０ｍｍに設定され、縁部２０ｂ，２０ｃ，２０ｄおよび曲面部２３ａ，２３ｂ，２４ａ，２４ｂの上部の垂直面上での曲率半径は５ｍｍに設定されている。そして、操作用凹部２２の中心部の垂直面上での曲率半径は１５ｍｍに設定され、操作用凹部２２の中心部からそれぞれ曲面部２３ａ，２３ｂに向って曲率半径は徐々に小さくなるように設定されている。
【００２５】
また、浴槽１０の排水栓１３の下方にも排水口部１５や目皿１８と同様の部材からなる排水構造が設けられており、その排水構造が備える排水管は、前述した排水管１７と連通している。したがって、排水栓１３を開けて浴槽１０内の湯や水を排水すると、その湯や水は、洗い場フロア１２から排水される湯水と同じ排水路によって外部に排水される。
【００２６】
この構成において、洗い場フロア１２の床面で、洗髪や体の洗浄をして、湯や水を使用した場合には、その使用後の湯や水は、洗い場フロア１２の床面の傾斜に沿って収容凹部１２ａ側に向って流れ、一部の湯水は、直接収容凹部１２ａの周面と蓋２０との間に形成された隙間を通って、収容凹部１２ａ内に流れる。そして、排水口部１５の内部を通過して排水管１７に流れ排水管１７から外部に排出される。
【００２７】
また、収容凹部１２ａの周面と蓋２０との間の隙間に直接入らず、蓋２０の上面に流れた湯水は、流れの勢いのまま蓋２０の縁部２０ｄ側から操作用凹部２２に向って、または、縁部２０ｂ，２０ｃ側から操作用凹部２２に向って流れる。そして、浴槽１０の縁部側で大きく開口した操作用凹部２２と収容凹部１２ａの周面との隙間から収容凹部１２ａ内に入っていく。収容凹部１２ａに入った湯水は、排水口部１５および排水管１７を介して外部に排出される。
【００２８】
この場合、多量の湯水が収容凹部１２ａ側に流れてきても、操作用凹部２２が大きく開口しているため十分な排水が行える。また、少量の湯水が蓋２０の上面に流れても、蓋２０の上面は、浴槽１０側の操作用凹部２２に向って下りになった傾斜面に形成されているため、湯水は徐々に集まって大きなかたまりになりながら操作用凹部２２側に流れて行く。さらに、蓋２０の上面には浅く細い溝２９が多数形成されているため、湯水が流れ易くなり蓋２０の上面の排水性が向上する。
【００２９】
また、入浴後に、浴槽１０内の湯または水を排出する場合には、操作スイッチ１３ａの操作により排水栓１３を開ける。これによって、浴槽１０内の湯または水は、排水口部等からなる排水構造を通過して排水管１７に流れ、排水管１７から外部に排出される。
【００３０】
このように、本実施形態では、蓋２０が収容凹部１２ａの周面との間に排水を通すことのできる隙間を設けて、収容凹部１２ａに着脱可能に設けられている。また、蓋２０の上面は、洗い場フロア１２の中央側に位置する縁部２０ｂやその側方の縁部２０ｃ，２０ｄの上端が洗い場フロア１２の床面と略等しい高さに設定され、浴槽１０側に位置する縁部２０ａが操作用凹部２２が設けられて低くなった傾斜面に形成されている。そして、蓋２０の上面には、溝２９が形成されている。このため、効率のよい排水が可能になるとともに、湯水が蓋２０の上面に残り難くなる。
【００３１】
また、蓋２０の浴槽１０側の縁部２０ａに操作用凹部２２を設けたため、蓋２０の着脱が容易になるとともに、排水路が広がりさらに効率のよい排水が可能になる。さらに、蓋２０には角部がなく（平面視において）全体が滑らかな曲面に形成されているとともに、蓋２０の上面には模様のような溝２９が形成されているため、デザイン性に優れたものになっている。
【００３２】
また、本発明にかかる浴槽排水口用蓋は、前述した実施形態に限定されるものでなく、技術的範囲内で適宜変更実施が可能である。例えば、前述した実施形態では、蓋２０の形状を略四角形の板状に形成しているが、この形状は、三角形や五角形、六角形等の多角形、または、円形や楕円形に形成することもできる。また、蓋の上面に形成する傾斜面は、平面状傾斜面と曲面状傾斜面との組み合わせに限らず、全体を滑らかな傾斜面に形成してもよいし、小さな平面状傾斜面を多数組み合わせて形成してもよい。また、蓋を構成する材料や、各部分の形状、傾斜の勾配、曲部の曲率半径の大きさ等も適宜変更可能である。更に、前述の浅く細い溝２９に代えて、蓋の上面に５〜３０ｍｍ角程度の矩形の凸部と、１〜３ｍｍ程度の幅の溝を設け、排水性を向上させるように構成することも可能である。
【図面の簡単な説明】
【００３３】
【図１】本発明の一実施形態による浴槽排水口用蓋を備えた浴槽ユニットを示した斜視図である。
【図２】浴槽排水口用蓋が取り付けられる収容凹部を含む排水構造を示した縦断面図である。
【図３】浴槽排水口用蓋を示した斜視図である。
【図４】図３に示した浴槽排水口用蓋の平面図である。
【図５】図４の５−５断面図である。
【符号の説明】
【００３４】
１２…洗い場フロア、１２ａ…収容凹部、１５…排水口部、１７…排水管、２０…蓋、２０ａ，２０ｂ，２０ｃ，２０ｄ…縁部、２２…操作用凹部、２３ａ，２３ｂ，２４ａ，２４ｂ…曲面部、２５ａ，２５ｂ，２５ｃ…平面状傾斜面、２６ａ，２６ｂ…曲面状傾斜面、２９…溝、Ｙ…浴室ユニット。
【図１】
2005139737.tif 000003
【図２】
2005139737.tif 000004
【図３】
2005139737.tif 000005
【図４】
2005139737.tif 000006
【図５】
2005139737.tif 000007